(57)【要約】      （修正有）【課題】フロートにより回転体の軸と軸受けの接触摩擦を軽減させる様にした回し車において、回転体の着脱が合理的に行える構成を提供する。【解決手段】回転体２の第１軸６上に手動により操作される第１固定ネジ１２を設け、二つのフロート３の内の一方のフロート３の第２軸１０の内部を貫通する丸棒９を固定するためにこのフロート３の第２軸１０上に第２固定ネジ１３を設け、残り一方のフロート３の第２軸１０の内部を貫通する丸棒９の部位を固定するためにこのフロート３の第２軸１０上に容易に操作できない第３固定ネジ１４を設け、フロート３の第２軸１０上に容易に操作できない第３固定ネジ１４を備えるフロート３側の容器４上に第４固定ネジ１５を設け、以上の構成により回転体２の着脱の際には容易に操作できない第３固定ネジ１４を備えるフロート３は丸棒９を付随する状態でこのフロート３及び容器４を一式で飼育ケージ７に対して着脱する様にする。【選択図】図１
2007300907.tif 000002
【特許請求の範囲】
【請求項１】
回し車（１）の回転体（２）の前方及び後方に二つのフロート（３）を設け、回転体（２）と二つのフロート（３）を角棒により連結させ、フロート（３）の下部に容器（４）を設け、容器（４）内の液体（５）により浮力を受けたフロート（３）により回転体（２）の第１軸（６）の内部を貫通する角棒と一体となる筒と飼育ケージ（７）の壁の穴（８）に設けるスリーブの接触摩擦を軽減させ、フロート（３）及び容器（４）を飼育ケージ（７）の壁の外部に設ける様にした回し車であって、角棒や角棒と一体となる筒及び飼育ケージ（７）側に設けるスリーブの構成を撤廃し、回転体（２）と二つのフロート（３）を丸棒（９）により連結させ、フロート（３）の第２軸（１０）の両端部の部位を支持する軸受け（１１）を容器（４）側に設け、これにより丸棒（９）が貫通するフロート（３）の第２軸（１０）と容器（４）側の軸受け（１１）の接触摩擦を軽減させる様にし、回転体（２）の第１軸（６）の内部を貫通する丸棒（９）の部位を固定するために回転体（２）の第１軸（６）上に手動により操作される第１固定ネジ（１２）を設け、二つのフロート（３）の内の一方のフロート（３）の第２軸（１０）の内部を貫通する丸棒（９）の部位を固定するためにこのフロート（３）の第２軸（１０）上に手動により操作される第２固定ネジ（１３）を設け、残り一方のフロート（３）の第２軸（１０）の内部を貫通する丸棒（９）の部位を固定するためにこのフロート（３）の第２軸（１０）上に容易に操作できない第３固定ネジ（１４）を設け、フロート（３）の第２軸（１０）上に容易に操作できない第３固定ネジ（１４）を備えるフロート（３）側の容器（４）上に第４固定ネジ（１５）を設け、以上の構成により回転体（２）の着脱の際には容易に操作できない第３固定ネジ（１４）を備えるフロート（３）は丸棒（９）を付随する状態でこのフロート（３）及び容器（４）を一式で飼育ケージ（７）に対して着脱する様にした回し車の着脱構造。
【発明の詳細な説明】
【技術分野】
【０００１】  本発明は飼育ケージで使用される回し車に関するものである。
【背景技術】
【０００２】  回し車の回転体の前方及び後方に二つのフロートを設け、回転体と二つのフロートを角棒により連結させ、フロートの下部に容器を設け、容器内の液体により浮力を受けたフロートにより回転体の軸と軸受けの接触摩擦を軽減させる様にした回し車がある。
【発明が解決しようとする課題】
【０００３】  回し車の回転体の部位を洗浄する際はこの部位を分離して行うことが適切である。前記の回し車においては回転体の軸の内部を貫通する角棒の部位を固定するための回転体の軸上の固定ネジを緩めると共に、二つのフロートの各々においてフロートの軸の内部を貫通する角棒の部位を固定するためのフロートの軸上の固定ネジを緩め、角軸を抜くことにより回転体は一連の構成から分離される。又、回転体を一連の構成に組む際には分離行程の逆の行程手順を履行することになる。
本発明は前記構成が備える特徴を維持しつつ、回転体の着脱が合理的に行える構成を提供するものである。
【課題を解決するための手段】
【０００４】  回し車１の回転体２の前方及び後方に二つのフロート３を設け、回転体２と二つのフロート３を角棒により連結させ、フロート３の下部に容器４を設け、容器４内の液体５により浮力を受けたフロート３により回転体２の第１軸６の内部を貫通する角棒と一体となる筒と飼育ケージ７の壁の穴８に設けるスリーブの接触摩擦を軽減させ、フロート３及び容器４を飼育ケージ７の壁の外部に設ける様にした回し車であって、角棒や角棒と一体となる筒及び飼育ケージ７側に設けるスリーブの構成を撤廃し、回転体２と二つのフロート３を丸棒９により連結させ、フロート３の第２軸１０の両端部の部位を支持する軸受け１１を容器４側に設け、これにより丸棒９が貫通するフロート３の第２軸１０と容器４側の軸受け１１の接触摩擦を軽減させる様にし、回転体２の第１軸６の内部を貫通する丸棒９の部位を固定するために回転体２の第１軸６上に手動により操作される第１固定ネジ１２を設け、二つのフロート３の内の一方のフロート３の第２軸１０の内部を貫通する丸棒９の部位を固定するためにこのフロート３の第２軸１０上に手動により操作される第２固定ネジ１３を設け、残り一方のフロート３の第２軸１０の内部を貫通する丸棒９の部位を固定するためにこのフロート３の第２軸１０上に容易に操作できない第３固定ネジ１４を設け、フロート３の第２軸１０上に容易に操作できない第３固定ネジ１４を備えるフロート３側の容器４上に第４固定ネジ１５を設け、以上の構成により回転体２の着脱の際には容易に操作できない第３固定ネジ１４を備えるフロート３は丸棒９を付随する状態でこのフロート３及び容器４を一式で飼育ケージ７に対して着脱する様にする。
【発明を実施するための最良の形態】
【０００５】  図１に示す様に本発明の回し車１は回転体２と二つのフロート３を丸棒９により連結させ、フロート３の第２軸１０の両端部の部位を支持する軸受け１１を容器４側に設けることで丸棒９が貫通するフロート３の第２軸１０と容器４側の軸受け１１の接触摩擦を軽減させる様にするものである。つまり、従来の回し車のものは角棒が貫通する第１軸６が軸受け１１に相当するスリーブにより支持されるのに対し、本発明の回し車１のものは丸棒９が貫通する第２軸１０が容器４側に設ける軸受け１１により支持されることになる。
又、回転体２を一連の構成から分離する際は回転体２の第１軸６上に設ける第１固定ネジ１２を緩めると共に、一方のフロート３の第２軸１０上に設ける第２固定ネジ１３を緩める作業を行い、続いて残り一方のフロート３側の容器４上に設ける第４固定ネジ１５を外すことで丸棒９を付随する状態でこのフロート３及び容器４を一式で飼育ケージ７から分離されることになる。又、回転体２を一連の構成に組む際には分離行程の逆の行程手順を履行する様にする。以上の様に一式の構成が分離されることで回転体２が摘出されたり、或いは一式の構成が組まれることで一連の構成が完成する様な構成にすることが回転体２における合理的な着脱手段になる。
【実施例】
【０００６】  なお、本発明においては丸棒９と一体となる筒の構成を実施した場合、筒が丸棒９よりも口径が上回る理由から回転体２の着脱の際に不具合が生じるため、この構成を撤廃してある。
又、本発明の丸棒９については、第１固定ネジ１２や第２固定ネジ１３及び第３固定ネジ１４が締め付ける丸棒９の部位を偏平に加工処理することで対処して締め付け力の維持を図る。
又、回転体２の着脱の際は手で回転体２を安定させて水平状態を維持し、回転体２に対して前記の一式の構成にある丸棒９の抜き差しが円滑に行える様にする。
又、飼育ケージ７の壁に設ける穴８については、図１に示す様にフロート３及び容器４を一式で飼育ケージ７に対して着脱できる様にする側のフロート３寄りの穴８の口径はこの穴８に対面する回転体２の第１軸６の口径を上回る寸法にする。つまり、回転体２を一連の構成に組む際には第１軸６を口径の上回る穴８から突出させ、第１軸６への丸棒９の挿入が容易に行える様にする。なお、第１軸６の長さが飼育ケージ７の内壁の間口寸法程にあることから、丸棒９の挿入直後に第１軸６を通常の位置に戻すことで対向する残り一方の穴８から飼育ケージ７外へ丸棒９を導き出すことは容易である。
又、第１軸６上に設ける第１固定ネジ１２の箇所は回転体２の後方の様に飼育動物が進入できない狭い空間に設けることで、第１固定ネジ１２の部位と飼育動物との接触事故の防止を図る様にする。
又、第３固定ネジ１４を備えるフロート３のメンテナンスを行う等で第３固定ネジ１４を緩める際はドライバーを使用して履行する様にする。
又、第２固定ネジ１３を備えるフロート３側の容器４における飼育ケージ７に対する着脱構成については、図１に示す様に容器４を上下にスライドさせて行う構成を採用している。つまり、容器４を上にスライドさせることで固定が解除される構成である。この容器４において飼育ケージ７に対する着脱を行う目的は洗浄及びメンテナンスが考慮できるが、この着脱作業は第２軸１０内に丸棒９が存在していない時間帯に行われることから容器４を上下にスライドさせる構成が成立する。つまり、第４固定ネジ１５の様なネジ締めによる固定手段のものでも良好であるがスライドによる着脱手段は簡便に行える点で有効である。なお、スライドによる構成においてはライン１６を飼育ケージ７側と容器４側に設け、飼育ケージ７側のライン１６と容器４側のライン１６が１直線に並ぶことで固定の完了を確認し、その後の第２軸１０への丸棒９の挿入が円滑に行える様にする。
【発明の効果】
【０００７】  従来の回し車のものは回転体２の着脱の際は回転体２、二つのフロート３、角棒の各パーツ毎の分離或いは、組み立てにより行われる。又、分離された二つのフロート３は孤立することで管理上の懸念が生じる。これに対して本発明のものは回転体２と一式の構成との２点により分離或いは、組み立てが行われることで合理的である。又、分離された二つのフロート３は各々の容器４上に保管の形態が継続することでフロート３の機能維持に貢献できる。
【図面の簡単な説明】
【図１】  本発明の側面透視図
【符号の説明】
１  回し車              ２  回転体              ３  フロート
４  容器                ５  液体                ６  第１軸
７  飼育ケージ          ８  穴                  ９  丸棒
１０  第２軸            １１  軸受け            １２  第１固定ネジ
１３  第２固定ネジ      １４  第３固定ネジ      １５  第４固定ネジ
１６  ライン
【図１】
2007300907.tif 000003